(57)【要約】      （修正有）【課題】額縁の中に入れる、鑑賞の対象物の背景とは、額縁の裏を塞ぐ蓋のことであり、鑑賞物に不適当な存在感を与えることがあり、背景の存在を無くす事により、自然で有りのままの存在感を与える、鑑賞枠を提供する。【解決手段】鑑賞物を挟む様に前面と背後に透明な板３を設置し、後ろから、枠１７で押さえる。枠の空間を繰り抜き突１としたので、無駄な線が無く、正面から見ると一体感が増す。【選択図】図６
0003235438.tif 000002
【実用新案登録請求の範囲】
【請求項１】
１．一枚の一枚板から成り、２．この一枚板から、３．表面（１３）が構成（図１の１−１、図１の１−２）（図７の１−１，図７の１−２、図８）されている、４．一枚の板状の物体において、５．板状面の中付近を、６．貫通するまで、７．完全にくり抜き（１）、８．一枚板から成る、９．枠（図１の１−１、図１の１−２）（図７の１−１，図７の１−２、図８）を形成させ、１０．さらに、１１．枠（図１の１−１、図１の１−２）（図７の１−１、図７の１−２、図８）に、１２．これ（図１の１−１、図１の１−２）（図７の１−１、図７の１−２、図８）より面積が大きく貫通するまで、１３．板状の面の中付近をくり抜いた（１）、１４．新たな枠（図２）を、１５．表面の枠を構成する枠（図１の１−１、図１の１−２）（図７の１−１、図７の１−２、図８）の裏面（図５）と、１６．密着接着（９）させた構造を形成させ、１７．この２種の枠（図１の１−１、図１の１−２）（図７の１−１、図７の１−２、図８）（図２）の中で、１８．面積が大きくくり抜かれた（１）枠（図２）の中に、１９．透明な板状の物体（３）が、２０．数枚入れ（図５）（図６）られており、２１．この透明な板状の物体（３）は、２２．２種ある枠（図７の１−１、図７の１−２、図８）（図２）の中で、２３．面積が大きくくり抜かれた（１）枠（図２）から、２４．溢れることはない構造を維持して、２５．面積が大きくくり抜かれた（１）枠（図２）の中に、２６．はめ込まれ、２７．また、２８．透明な板状の物体（３）の、２９．板状面（３）側の周囲の内側のみを、３０．押さえて（図５）（図６）、３１．２種の枠（図１の１−１、図１の１−２）（図７の１−１、図７の１−２、図８）（図２）の中で、３２．面積が大きくくり抜かれた（１）枠（図２）の中に、３３．固定され、３４．そして、３５．板状面（３）側の周囲の内側のみを、３６．押さえる、３７．物体（２）（図３）も、３８．枠状（２）（図３）をしており、３９．さらに、４０．透明な板状の物体（３）を押さえて、４１．固定する、４２．枠状の物体（２）（図３）の、４３．枠面（２）（図３）から見た外形（１７）である、４４．枠の周形（１７）は、４５．２種の枠（図７の１−１、図７の１−２、図８）（図２）の中で、４６．面積が大きくくり抜かれた（１）枠（図２）の、４７．枠面から見た、４８．くり抜かれた（１）内側の形状（１６）と、４９．一致し、５０．そして、５１．透明な板状の物体（３）を押さえて、５２．固定する、５３．枠状の物体（２）（図３）は、５４．２種の枠（図７の１−１、図７の１−２、図８）（図２）の中で、５５．面積が大きくくり抜かれた（１）枠（図２）への、５６．透明な板状の物体（３）の、５７．はめ込み方向側である、５８．くり抜かれた（１）内側の形状（１６）の上側に、５９．溢れてはみ出る事は無く（図５）、６０．さらに、６１．この考案を表面（１３）（図７の１−１、図７の１−２、図８）から見ると、６２．表面（図７の１−１、図７の１−２、図８）のくり抜かれた（１）面積と同程度の鑑賞する為の穴（１）を、６３．透明な板状の物体（３）を押さえて、６４．固定する枠（２）（図３）は、６５．持って（１）いる、６６．事を、６７．特徴とする、６８．以上の考案物。
【考案の詳細な説明】
【技術分野】
【０００１】  本考案は、額縁の創作に属する。
【背景技術】
【０００２】  古今東西、何時のころからか、額縁あり、構成要素が組み合わされて製作されている。
【先行技術文献】
【特許文献】
【０００３】
【特許文献１】特許公開（２０１２−５８０３）
【考案の概要】
【考案が解決しようとする課題】
【０００４】  額縁の中に入れる、鑑賞の対象物の背景とは、額縁の裏を塞ぐ蓋のことであり、鑑賞物に不適当な存在感を与えることがあり、背景の存在を無くす事により、自然で有りのままの存在感を与えたいことがある。【０００５】  特に、鑑賞物として、切手などを使用する時は、その部類に属する。【０００６】  背景の存在を無くす（図３）には、鑑賞対象物の前面と、鑑賞対象物の背後に、透明な板状の物体（３）を設置すればよい（図５、図６）。【０００７】  また、鑑賞の対象物に存在感を与えるために、額縁の前面（図１の１−１、図１の１−２）に、加工（図７の１−１、図７の１−２、図８）を施せるようにしたい。
【課題を解決するための手段】
【０００８】  背景の存在を無くす為に、鑑賞対象物の前面（３）と、鑑賞対象物の背後に、透明な板状の物体（３）を設置した（図５、図６）。【０００９】  鑑賞の対象物に存在感を与えるために、額縁の前面（図１の１−１、図１の１−２、図７の１−１、図７の１−２、図８）となる部分は、額縁の構成要素の一部となる様にする為に（図１、図２、図４、図５、図６）、その為には、鑑賞物を挟むための、透明な板（３）が、設置される枠（図２）は、あとから、うしろより、貼り付けられる様な、構造（図４、図５、図６）とした。【００１０】  額縁の前面（図１の１−１、図１の１−２、図７の１−１、図７の１−２、図８）となる部分の裏側に、鑑賞物を挟む透明な板（３）（図５、図６）の平面側から見た外観と、同じ外観の彫溝を彫って、本考案の正面から垂直方向の本考案の厚みを、薄くする事も出来る。【００１１】  さらに、額縁の前面（図１の１−１、図１の１−２、図７の１−１、図７の１−２、図８）は、鑑賞物を挟むための、透明な板（３）が、設置される枠（図２）から、こぼれ落ちないように、枠の面（図１の１−１、図１の１−２）と枠の面（図２）、に穴（図５）をあけ、とくに図２の枠の面の穴（１０）（図２）は、貫通させて、その穴（１０）（１１）に、ビス（５）を、通した（図５）。【００１２】  鑑賞物をその内に収めて、鑑賞し、保護する穴（１）を形成されたことにより作られた枠（図１の１−１、図１の１−２、図２、図７の１−１、図７の１−２、図８、）の穴（１）と、鑑賞物を挟む透明な板（３）を、後ろから押さえる、枠（図３）の穴（１）の空間（１）のところは、繰り抜き穴（１）とした（図４）。【００１３】  鑑賞物を挟む透明な板（３）を、後ろから押さえる、枠（図３）は（図４、図５、図６）、トンボ（８）で、固定するので（図６）、しっかりトンボ（８）で固定できるように、枠（図３）にビス（４）を打ち込んで（図５、図６）、トンボ（８）と枠（図３）の間に、挟まれるようにした。
【考案の効果】
【００１４】  鑑賞物を入れる各枠（図１の１−１、図１の１−２、図２、図７の１−１、図７の１−２、図８、）と、鑑賞物を挟む透明な板（３）（図５、図６）を、後ろから押さえる、枠（図３）の空間（１）を、繰り抜き穴（１）とした（図４）ので、無駄な線が無く、正面から、この考案を鑑賞すると、一体感が増す。【００１５】  鑑賞物が、透明な板（３）で挟まれている（図５、図６）から、この考案を観ると、この考案の中に、入れられた、鑑賞物の周りの背景は、この考案の背面の景観（図３、図４、図５、図６）なので、鑑賞物の周りが、はっきりする様に、変化が与えられた。
【図面の簡単な説明】
【００１６】
【図１】  「１−１」本考案の正面となる枠で、この枠は、図２の枠より繰り抜かれた（１）表面積が小さく、透明な板（３）が、この枠を、板面（３）平行に平行移動出来ない枠で、この枠の繰り抜かれた（１）表面側の周辺に、溝（１５）を、彫った枠。
【００１７】  「１−２」本考案の正面となる枠で、この枠は、図２の枠より繰り抜かれた（１）表面積が小さく、透明な板（３）が、この枠を、板面（３）平行に平行移動出来ない枠で、この枠の繰り抜かれた（１）表面側の周辺に、溝が無い枠。【００１８】
【図２】  本考案の正面となる枠（図１）より、この枠は、繰り抜かれた（１）表面積が大きく、本考案の正面の枠（図１）の裏に、貼り付け、固定される枠。
【００１９】
【図３】  本考案の正面となる枠（図１）の裏に、貼り付け、固定される枠（図２）の内側に、設置される枠（３）で、この枠（３）の外形は、図２の枠の繰り抜かれた部分（１）において、本考案の正面平面と平行な面における、図２の枠の繰り抜かれた部分（１）の形と、一致する（図５、図６）。
【００２０】
【図４】  本考案で使用する枠の構成図。
【００２１】
【図５】  本考案の構成図で、ビス（５）で、各枠（図１、図２、図３）を固定する様子。
【００２２】
【図６】  本考案の構成図で、トンボ（８）で、ビス（４）を挟んで、枠（図３）を押さえつける様子。
【００２３】
【図７】  「１−１」本考案の正面となる枠で、この枠は、図２の枠より繰り抜かれた（１）表面積が小さく、透明な板（３）が、この枠を、板面（３）平行に平行移動出来ない枠で、この枠（図１）に、彫り込み模様を施した状態を正面から観た様子。
【００２４】  「１−２」本考案の正面となる枠で、この枠は、図２の枠より繰り抜かれた（１）表面積が小さく、透明な板（３）が、この枠を、板面（３）平行に平行移動出来ない枠で、この枠（図１）に、彫り込み模様を施した状態を、斜めから観た様子。【００２５】
【図８】  本考案の正面となる枠で、この枠は、図２の枠より繰り抜かれた（１）表面積が小さく、透明な板（３）が、この枠を、板面（３）平行に平行移動出来ない枠で、この枠（図１）に、塗装図、塗装絵、又は、プリントを施した状態を正面から見た様子。
【考案を実施するための形態】
【００２６】  鑑賞物を、透明な板（３）に挟んで、本考案に設置する（図５、図６）。
【実施例】
【００２７】  写真、切手などを、透明な板（３）に挟み、本考案に設置する。
【産業上の利用の可能性】
【００２８】  枠（図１、図２、図３）を、いろいろな形に、繰り抜く為の技術的発展が望まれる。
【符号の説明】
【００２９】１．  枠の形態を成ささせる為に、繰り抜かれた、穴。
２．  枠（図３）のある一つの形態の形で、木製だと、木のバリが出ることがある。
３．  透明な板状の物体。
４．  トンボ（８）を受け止めるビス。
５．  額縁の表（図１の１−１、図１の１−２、図７の１−１、図７の１−２、図８、）は貫通せず、枠（図２）は貫通する、ビス。
６．  本考案を吊るす、豆カン。
７．  トンボ（８）を固定するネジ。
８．  枠（図３）を、ビス（４）を挟んで、押さえ付けるトンボ。
９．  ２種の枠（図１の１−１、図１の１−２、図７の−１、図７の１−２、図８）と（図２）を、貼り付ける面。
１０．２種の枠（図１の１−１、図１の１−２、図７の−１、図７の１−２、図８）と（図２）を、接着固定するための貫通した穴。
１１．２種の枠（図１の１−１、図１の１−２、図７の−１、図７の１−２、図８）と（図２）を、接着固定するための、貫通していない穴。
１２．本考案の表（１３）となる表面（図１）に、彫り込みを入れた場合の模様の様子。
１３．本考案の表になる部所。
１４．本考案の表（１３）となる表面（図１）に、プリント、又は、塗装を施した様子。
１５．本考案の表（１３）となる枠の内側に、彫り込みを入れて、出来た、溝。
１６．本考案の２種の枠（図１の１−１、図１の１−２、図７の−１、図７の１−２、図８）と（図２）のうち、裏側から確認する事が出来る、図２の枠の内側（図２）の辺形（１６）。
１７．枠（図３）の外側の辺形（１７）。
【図１】
0003235438.tif 000003
【図２】
0003235438.tif 000004
【図３】
0003235438.tif 000005
【図４】
0003235438.tif 000006
【図５】
0003235438.tif 000007
【図６】
0003235438.tif 000008
【図７】
0003235438.tif 000009
【図８】
0003235438.tif 000010
【手続補正書】
【提出日】令和3年9月25日(2021.9.25)
【手続補正１】
【補正対象書類名】実用新案登録請求の範囲
【補正対象項目名】全文
【補正方法】変更
【補正の内容】
【実用新案登録請求の範囲】
【請求項１】
１．前の加工を問わない一枚の板状の物体から、２．表面（１３）が構成されている、３．板状面の中を、４．貫通するよう、５．完全にくり抜き（１）（１３）、６．枠を形成させ（１３）、７．さらに、８．この枠（１３）に、９．これ（１３）より面積が大きく貫通するまで、１０．板状の面の中をくり抜いた（１）（１６）、１１．新たなくり抜き（１）辺（１６）を持つ枠（１）（１６）を、１２．表面の枠を構成する枠（１３）の裏面と、１３．密着接着（９）させた構造を形成させ、１４．面積が大きくくり抜かれた（１）枠（１）（１６）の中（１）（１６）に、１５．透明な板状の物体（３）が、１６．数枚入れられ（１）（１６）、１７．この透明な板状の物体（３）は、１８．面積が大きくくり抜かれた（１）枠（１）（１６）から、１９．溢れることはない構造を維持して、２０．面積が大きくくり抜かれた（１）枠（１）（１６）の中（１）（１６）に、２１．はめ込まれ、２２．また、２３．この透明な板状の物体（３）の、２４．板状面（３）側の周囲のみを、２５．押さえて、２６．面積が大きくくり抜かれた（１）枠（１）（１６）の中（１）（１６）に、２７．固定され、２８．そして、２９．板状面（３）側の周囲のみを、３０．押さえる、３１．物体（２）も、３２．枠（１）（２）状をしており、３３．さらに、３４．透明な板状の物体（３）を押さえて、３５．固定する、３６．枠（１）状の物体（２）の、３７．枠面（２）から見た外形（１７）である、３８．枠（２）の外周形（１７）は、３９．面積が大きくくり抜かれた（１）（１６）枠（１）（１６）の、４０．枠（１）（１６）面（９）から見た、４１．くり抜かれた（１）（１６）内側の形状（１６）と、４２．一致し、４３．透明な板状の物体（３）を押さえており、４４．この枠（２）のくり抜かれた（１）空間（１）は、４５．表面（１３）のくり抜かれた（１）体積によって出来た空間（１）と、４６．同程度の鑑賞する為の穴（１）を、４７．持って（２）（１）いる、４８．事を、４９．特徴とする、５０．以上の鑑賞枠。